(57)【要約】  本発明は、所与の端末装置ＩＰＰ１から緊急通話確立を要求すると、非緊急通話の確立を要求する端末装置が割り当てられる任意の仮想ネットワークの優先度より高い優先度を有する第１の仮想ネットワークＶＬＡＮ１を前記端末装置に割り当てることと、次いで所与の端末装置はブロードキャストモードでメッセージを送信するために前記第１の仮想ネットワークを使用し、前記メッセージは具体的には緊急通話サーバＥＭＳＲ宛であることと、非緊急通話の確立を要求する端末装置が割り当てられる任意の仮想ネットワークの優先度より高い優先度を有する第２の仮想ネットワークＶＬＡＮ２に前記端末装置を割り当て、次いで緊急通話サーバＥＭＳＲは所与の端末装置に応答するために二地点間モードで前記第２の仮想ネットワークを使用することとからなる方法に関する。本発明はローカル電話ネットワークへの応用である。
2008529377.tif 000002
【特許請求の範囲】
【請求項１】
コンピュータローカルエリアネットワーク（ＬＡＮ）内で緊急通話を確立するための方法であって、端末装置（ＩＰＰ１）が緊急通話の確立を要求する場合、該方法が、
その端末装置を非緊急通話の確立を要求する端末装置が割り当てられる任意の仮想ネットワークの優先度より高い優先度を有する第１の仮想ネットワーク（ＶＬＡＮ１）に割り当て、この第１の仮想ネットワーク（ＶＬＡＮ１）を介してその端末装置から緊急通話センタ（ＰＳＡＰ）に少なくとも１つのメッセージをルーティング（１）することと、
この端末装置を非緊急通話の確立を要求している端末装置が割り当てられている任意の仮想ネットワークの優先度より高い優先度を有する第２の仮想ネットワーク（ＶＬＡＮ２）に割り当て、第２の仮想ネットワーク（ＶＬＡＮ２）を介して緊急通話センタ（ＰＳＡＰ）から端末装置（ＩＰＰ１）に少なくとも１つのメッセージをルーティング（５）することと
からなることを特徴とする、方法。
【請求項２】
第１の仮想ネットワーク（ＶＬＡＮ１）を介して端末装置から緊急通話センタ（ＰＳＡＰ）に少なくとも１つのメッセージをルーティング（１）するためにブロードキャストモードを使用し、第２の仮想ネットワーク（ＶＬＡＮ２）を介して緊急通話センタ（ＰＳＡＰ）から端末装置（ＩＰＰ１）に１つのメッセージをルーティングするためにユニキャストモード（５）を使用することを特徴とする、請求項１に記載の方法。
【請求項３】
インターネット型電話端末装置（ＩＰＰ１）であって、
この端末装置が緊急通話の確立を要求する場合、この端末装置を第１の仮想ネットワーク（ＶＬＡＮ１）および第２の仮想ネットワーク（ＶＬＡＮ２）に割り当てるための手段を含み、これらの２つの仮想ネットワークのそれぞれが、非緊急通話の確立を要求している端末装置が割り当てられている任意の仮想ネットワークの優先度より高い優先度を有することを特徴とする、インターネット型電話端末装置（ＩＰＰ１）。
【請求項４】
この第１の仮想ネットワークの識別子およびブロードキャストモードの指標を含むデータパケットを送信するための手段と、
この第２の仮想ネットワークの識別子およびユニキャストモードの指標を含むデータパケットを受信するための手段と
をさらに含むことを特徴とする、請求項３に記載の端末装置。
【請求項５】
電話サービスを提供するインターネット型ローカルエリアネットワーク（ＬＡＮ）にアナログ電話端末装置（ＰＯＴ１）またはデジタル同期電話端末装置（ＳＴ１）を接続するためのゲートウェイ（ＧＷ１）であって、この電話装置が緊急通話の確立を要求するメッセージを送信するときに、該ゲートウェイが、
メッセージが緊急通話の確立を要求していることを認識し、非緊急通話の確立を要求している端末装置が割り当てられている任意の仮想ネットワークの優先度より高い優先度を有する第１の仮想ネットワーク（ＶＬＡＮ１）に対応する仮想ネットワーク識別子をメッセージに追加して、ローカルエリアネットワーク（ＬＡＮ）内でそのメッセージをブロードキャストモードで転送するための手段と、
緊急通話の継続期間中、第１の仮想ネットワーク（ＶＬＡＮ１）に対応する仮想ネットワーク識別子をこの端末装置（ＰＯＴ１）から来る任意のメッセージに追加するための手段と、
その端末装置に対応するアドレスを含み、第２の仮想ネットワーク（ＶＬＡＮ２）に対応する仮想ネットワーク識別子を含む任意のメッセージをその端末装置（ＰＯＴ１）に転送するための手段であって、第２の仮想ネットワークが非緊急通話の確立を要求している端末装置が割り当てられている任意の仮想ネットワークの優先度より高い優先度を有する、転送するための手段と
を含むことを特徴とする、ゲートウェイ（ＧＷ１）。
【請求項６】
コンピュータローカルエリアネットワーク（ＬＡＮ）を介して端末装置（ＩＰＰ１、ＰＯＴ１、ＳＴ１、ＭＴ１）と緊急通話センタ（ＰＳＡＰ）との間で緊急通話を確立するための緊急通話サーバ（ＥＭＳＲ）であって、
端末装置から来てブロードキャストモードの指標を含むメッセージを受信し、次いでそのメッセージが、緊急通話の確立を要求するメッセージの送信専用の仮想ネットワーク（ＶＬＡＮ１）に対応する仮想ネットワーク識別子を含むことを認識するための手段と、
端末装置の位置に応じて緊急通話センタ（ＰＳＡＰ）をその後決定するための手段と、
この端末装置と緊急通話センタとの間で通話の確立を要求するためにその緊急通話センタにメッセージをその後送信するための手段であって、そのメッセージが緊急通話の確立を要求するメッセージの送信専用の仮想ネットワーク（ＶＬＡＮ１）に対応する仮想ネットワーク識別子を含む、手段と
を含むことを特徴とする、緊急通話サーバ（ＥＭＳＲ）。
【請求項７】
通話中、端末装置（ＩＰＰ１）を緊急通話センタ（ＰＳＡＰ）に接続するためのゲートウェイ（ＧＷ３）であって、
第１の仮想ネットワーク（ＶＬＡＮ１）を介してブロードキャストモードで端末装置から受信された少なくとも１つのメッセージを緊急通話センタにルーティング（３）するための手段と、
第２の仮想ネットワーク（ＶＬＡＮ２）を介してユニキャストモードで緊急通話センタから受信された少なくとも１つのメッセージを端末装置にルーティング（５）するための手段と
を含むことを特徴とする、ゲートウェイ（ＧＷ３）。
【発明の詳細な説明】
【技術分野】
【０００１】
本発明はコンピュータローカルエリアネットワーク内での緊急通話のルーティングに関する。
【背景技術】
【０００２】
ネットワークプロトコルとしてインターネットプロトコルを使用して、データパケット形式で電話通話をルーティングするためにコンピュータローカルエリアネットワークを使用することが、企業にとって常套手段となってきている。
【０００３】
コンピュータローカルエリアネットワークは端末装置のグループを定義する複数の仮想ネットワークに細分化されることができ、その仮想ネットワークはネットワークの物理的アーキテクチャが何であれ、端末装置のグループ間でデータを交換することができる。機密保護の理由のために、異なるグループに属する端末装置間のデータの交換を制限することまたは禁止することも可能である。仮想ネットワークは論理的手段だけによって定義されるサブネットワークを意味している。
【０００４】
ＩＥＥＥ８０２．１Ｑ規格はイーサネット（登録商標）ネットワークでの仮想ネットワークを定義する方法を説明している。その規格で説明されている方法の１つにより、仮想ネットワーク内で１つのデータパケットを送信する端末装置はラベルをそのパケットに関連付け、そのラベルは仮想ネットワークの識別子から成る。しかし、フレームは、そのフレームがいかなるこの種のラベルも有することなく仮想ネットワークに同様に属することができる。パケットがローカルエリアネットワークのノードのポートに到達するとき、そのノードはそのパケットが仮想ネットワークの識別子から成るラベルを含んでいるかどうかを調査する。すなわち、
パケットがラベルを含まない場合、パケットは到達ポートに対応する所定の仮想ネットワークから来たものと見なされる。
【０００５】
パケットがラベルを含む場合、パケットはそのラベルを構成するアイデンティティを有する仮想ネットワークから来たものと見なされる。
【０００６】
ノードは物理的送信先アドレスをパケットからさらに抽出する。次いで、そのパケットが属する仮想ネットワークと仮定してその物理的送信先アドレスが許可されている場合、ノードはパケットをその物理的送信先アドレスに対応する出力ノードにルーティングする。これを検証するためにノードは、この物理的アドレスがその出力ポートを介してアクセス可能でありそのネットワークに属する端末装置のアドレスの所定のリストの一部であるかどうか、表を調べる。リストの一部でない場合、パケットはさらに先には送信されない。
【０００７】
電話通話の品質を低下させないための音声パケットルーティング遅延について、通常のデータを送信するためにも使用されるローカルエリアネットワーク内で、例えばコンピュータ間でインターネットプロトコル電話を使用するために少なくとも１つの仮想ローカルエリアネットワークを生成することが必要である。この種の仮想ネットワークは音声仮想ネットワークと呼ばれ、電話端末装置によって交換される音声パケットを処理することを優先させる。音声パケットは送信遅延時間が長過ぎることに耐えることができないので、これらの電話端末装置は電話サービスに特定のサーバにもアクセスし、音声パケットは交換機、ブリッジ、およびルータ内では最優先で送信される。
【０００８】
電話専用のこれらの仮想ネットワークは２つの欠点を有する。すなわち、
大きい事故の場合、多くの利用者が電話通話を同時に確立し、それらのすべてが必ずしも緊急通話センタ向けの通話ではない。緊急通話センタ向けではない通話が緊急通話センタ向けの通話を損ねるほどにローカルエリアネットワークを飽和状態にし得る。
【０００９】
緊急通話要求は、ローカルエリアネットワークによるデータ伝送を使用すると他の手段によって影響されて通常のデータ伝送よりも優先権を有しない。聾唖者は、緊急通話センタに電話をかけるために聾唖者の障害に適応したチャットサービスまたはマルチメディアサービス（例えば、インスタントメッセージングサービス）を使用することになる。また、聾唖者の緊急通話は通常のデータ転送および非緊急電話通話よりも優先させるべきである。
【００１０】
米国での新しい規制および欧州で間近の新しい規制は、企業通信ネットワーク内で送信される緊急通話に関してさらにより多くの特定の処理を課すことになる。すなわち、
緊急通話は、発呼者の位置と専門的行動に応じた緊急通話センタに自動的にルーティングされなければならない。
【００１１】
緊急通話は、他の電話通話の優先度より高い優先度を用いて送信されなければならない。
【００１２】
接続は、たとえ利用者が電話を切っても、緊急通話センタが接続を終結するまで維持されなければならない。
【００１３】
発呼端末装置の数および正確な位置は緊急通話センタに送信されなければならない。
【００１４】
通知は、企業に特定した様々な警報装置、例えば、サイレン、点滅ランプ、特定電話などにも送信されなければならない。
【００１５】
電話通話をサポートする現在のコンピュータローカルエリアネットワークは、これらの規制の要求のすべてを満たすようには構成されていない。具体的にはそれらのコンピュータローカルエリアネットワークは、緊急通話が他の電話通話の優先度より高い優先度で確立されるように構成されていない。
【発明の開示】
【発明が解決しようとする課題】
【００１６】
本発明の第１の目的は、新しい規制のこの要求を具体的に満足する緊急通話を確立するように構成されたコンピュータローカルエリアネットワークを提案することである。概して、この緊急通話は電話通話であるが、この緊急通話は、任意のチャット、インスタントメッセージングまたはシグナリングプロトコル（例えば、ある人が専用の警報ボタンを押していることを示す）を使用してデータを交換することであってもよい。
【００１７】
本発明の第２の目的は、端末装置が緊急通話を簡単な手段によって様々な警報装置に通知可能にすることである。
【課題を解決するための手段】
【００１８】
本発明の第１の態様は、コンピュータローカルエリアネットワーク内で緊急通話を確立するための方法であって、端末装置が緊急通話の確立を要求する場合、該方法が、
その端末装置を非緊急通話の確立を要求する端末装置が割り当てられる任意の仮想ネットワークの優先度より高い優先度を有する第１の仮想ネットワークに割り当て、この第１の仮想ネットワークを介してその端末装置から緊急通話センタに少なくとも１つのメッセージをルーティングすることと、
この端末装置を非緊急通話の確立を要求している端末装置が割り当てられている任意の仮想ネットワークの優先度より高い優先度を有する第２の仮想ネットワークに割り当て、第２の仮想ネットワークを介して緊急通話センタからその端末装置に少なくとも１つのメッセージをルーティングすることと
からなることを特徴とする方法である。
【００１９】
したがって、特徴とされた方法によって端末装置が通話確立要求を緊急通話センタに送信することができ、その通話確立要求は任意の他の非緊急通話確立要求または既に確立された任意の他の非緊急通話によって妨げられる可能性はなく、なぜならばその端末装置は次いで、非緊急通話の確立を要求する端末が割り当てられる任意の他の仮想ネットワークの優先度より高い優先度を有する第１の仮想ネットワークに割り当てられるからである。
【００２０】
緊急通話センタは端末装置に応答を送信し、その応答は任意の他の非緊急通話によって妨げられる可能性はなく、なぜならばその端末装置は次いで、非緊急通話の確立を要求する端末装置が割り当てられる任意の他の仮想ネットワークの優先度より高い優先度を有する第２の仮想ネットワークに割り当てられるからである。
【００２１】
イーサネット（登録商標）型ローカルエリアネットワークの例では、仮想ローカルエリアネットワークおよび優先度を定義するための標準的機構がローカルエリアネットワークのノードを構成する交換機で使用されている。これらの交換機がこれらの２つの仮想ネットワークを最優先させて割り当てるようにそれらの交換機は一度だけ構成される。
【００２２】
本発明の方法は、第１の仮想ネットワークを介して端末装置から緊急通話センタに少なくとも１つのメッセージをルーティングするためにブロードキャストモードを使用し、第２の仮想ネットワークを介して緊急通話センタから端末装置に１つのメッセージをルーティングするためにユニキャストモード（二地点間モード）を使用する。
【００２３】
第１の仮想ネットワークと第２の仮想ネットワークとを分離することによって、端末装置とすべての他のネットワークユニット、具体的には警報装置との間で送信をするためにブロードキャストモードを使用することが他の端末装置を妨げるリスクなしに可能となる。ブロードキャストモードは、送信端末装置が送信先ユニットのそれぞれのアドレスを知る必要もなく複数の送信先ユニットに同時にメッセージをルーティングする利点を有する。シグナリングメッセージは、第１の仮想ネットワークに属する任意のユニットに到達できる特定のブロードキャストアドレスを含む。緊急通話サーバおよび警報装置だけが、緊急通話の確立を要求している端末装置を除けば第１の仮想ネットワークに属するユニットである。したがって他の電話端末装置が第１の仮想ネットワークに属していないので、それらの他の端末装置はこの端末装置によって送信されるシグナリングメッセージまたは音声パケットを受信しない。ネットワークは、これら端末装置の物理的アドレスがネットワークのノードのルーティング表でその仮想ネットワークのアイデンティティと関連付けられていないので、これらの端末装置が第１の仮想ネットワークのアイデンティティを含むシグナリングメッセージおよび音声パケットを受信することを防止する。
【００２４】
通話センタから来る音声パケットが第２の仮想ネットワーク内ではユニキャストモードでルーティングされるということのおかげで、ユニキャストモードは、他の端末装置（それらの端末装置自体が緊急通話センタと通信し、したがってそれらの端末装置は第２の仮想ネットワークに属し、それらの端末装置向けではないメッセージおよびパケットを受信する）なしに、緊急通話センタから緊急通話の確立を要求した単一の端末装置にメッセージをルーティングする。ブロードキャストモードは、特定の物理的アドレス値を使用する点でユニキャストモードと異なる。
【００２５】
本発明は、本発明の方法を実現するように構成された端末装置、緊急通話サーバおよびゲートウェイからもなる。
【００２６】
下記の説明および添付図面に照らして、本発明はより良く理解され、他の特徴が明らかになる。
【発明を実施するための最良の形態】
【００２７】
図１に示されるように本発明の実施形態は、好ましくはリンクレベルではイーサネット（登録商標）型であり、トランスポート／ネットワークレベルではＴＣＰ／ＩＰ型であるコンピュータローカルエリアネットワークＬＡＮを主として含む。電話交換機ＩＰＢＸは、電話接続を切り換えるためにこのローカルエリアネットワークＬＡＮに接続されている。様々な種類の電話端末装置がこのローカルエリアネットワークＬＡＮに直接にまたは間接的に接続されている。すなわち、
インターネットプロトコルパケット形式で音声信号を送信し、ローカルエリアネットワークＬＡＮに直接接続されているＶｏｉｃｅ  Ｏｖｅｒ  Ｉｎｔｅｒｎｅｔ  Ｐｒｏｔｏｃｏｌ（ＶＯＩＰ）型の固定電話端末装置ＩＰＰ１、ＩＰＰ２
標準的なＷｉＦｉ無線アクセスポイントＡＰ１、ＡＰ２を介してローカルエリアネットワークＬＡＮに接続されている例えば、ＷｉＦｉ型の携帯電話端末装置ＭＴ１、ＭＴ２
アナログ音声信号をデジタル化し、圧縮し、インターネットプロトコルパケットに変換し、および逆の動作もまた同様に行うための標準的ゲートウェイＧＷ１を介してローカルエリアネットワークＬＡＮに接続されている端末装置ＰＯＴ１などの固定アナログ電話端末装置
デジタル同期音声信号をデジタル化し、圧縮し、インターネットプロトコルパケットに変換し、および逆の動作もまた同様に行うための標準的ゲートウェイＧＷ２を介してローカルエリアネットワークＬＡＮにそれ自体を接続しているデジタル同期交換機ＰＡＢＸ１に接続されている端末装置ＳＴ１などの固定デジタル同期電話端末装置
【００２８】
このローカルエリアネットワークＬＡＮは、ゲートウェイＧＷ３およびこの例ではデジタル同期型である公衆電話網ＰＳＴＮを介して緊急通話センタＰＳＡＰに接続されている。他の例では、インターネットがこのローカルエリアネットワークを緊急通話センタに接続するために使用されてよい。
【００２９】
緊急通話センタＰＳＡＰは、Ｖｏｉｃｅ  Ｏｖｅｒ  Ｉｎｔｅｒｎｅｔ  Ｐｒｏｔｏｃｏｌ型電話交換機ＩＰＢＸ２と、端末装置ＩＰＰ３などのＶｏｉｃｅ  Ｏｖｅｒ  Ｉｎｔｅｒｎｅｔ  Ｐｒｏｔｏｃｏｌ型電話端末装置と、ＰＣ１などのコンピュータとを含む標準的通話センタである。警報装置ＡＤ（サイレンおよび点滅ランプ）は、企業のスタッフに警報を出すためにローカルエリアネットワークＬＡＮに接続されている。
【００３０】
交換機ＩＰＢＸ１は、通話確立要求を処理するためにコールアドミッション制御ソフトウェア手段ＣＡＣを含む。これらの手段ＣＡＣは緊急通話サーバを構成するサブセットＥＭＳＲを含む。このサーバは、本発明の方法とは無関係である位置機能も有することができる。この例では、ソフトウェア手段ＣＡＣおよびＥＭＳＲは交換機ＩＰＢＸ１に統合されるが、それらは異なるユニットに配置されることができ、この場合には、それらはローカルエリアネットワークＬＡＮを介して互いに対話することになろう。このローカルエリアネットワークＬＡＮは、複数の仮想ネットワーク、具体的には非緊急電話通話専用の１つまたは複数の仮想ネットワークをサポートする。
【００３１】
仮想ネットワークを使用するためにブリッジまたはルータは、それがパケットを受信するたびに、パケットがどの仮想ネットワークに属するか、パケットが指定されている装置がどの仮想ネットワークに属するかを区別できなければならず、その送信先装置はパケット内に配置されたその物理的アドレスから識別される。
【００３２】
新しい装置が複数の仮想ネットワークを含むローカルエリアネットワークＬＡＮに接続されている場合、その装置にインターネットアドレスおよび仮想ネットワーク識別子を割り当てることが必要である。知られている動的ホスト構成プロトコル（ＤＨＣＰ）は、ネットワークに新たに接続される装置を初期化し、動的に構成する。このプロトコルは、サーバと呼ばれるネットワークの中の装置の１つでＤＨＣＰＳサーバソフトウェアを実行し、ネットワークの中の他の装置でＤＨＣＰクライアントソフトウェアを実行することによって実施される。例えば、サーバＤＨＣＰＳは交換機ＩＰＢＸ１の中に統合される。
【００３３】
装置がネットワークＬＡＮ内で作動するときにそのＤＨＣＰクライアントは、サーバＤＨＣＰＳに新しい装置の存在を通知するＤＨＣＰ要求を含むパケットをネットワーク全体にまたは部分的にブロードキャストする。サーバＤＨＣＰＳは、所定のアドレス群でまだ割り当てられていないアドレスからインターネットアドレスを選択する。サーバＤＨＣＰＳは、所定の期間、そのアドレスをその装置に与える。その期間後、サーバはそのアドレスは空いていると見なす。サーバは、関係装置がその間にインターネットアドレスの割当を再び要求するメッセージをサーバＤＨＣＰＳに送信していなかった場合にそのアドレスを他の装置のために再び使用する。
【００３４】
ＩＥＴＦ文献ＲＦＣ２１３１により、ＤＨＣＰは各装置に下記を供給する。すなわち、
トランザクション参照
インターネットアドレス
そのインターネットアドレスが割り当てられている期間の指標
装置を起動するために使用する次のサーバのインターネットアドレス
任意選択のパラメータフィールド
【００３５】
様々な方法が仮想ネットワーク識別子を割り当てることで知られている。第１の知られている自動的方法は論理リンクディスカバリプロトコル（ＬＬＤＰ、ＩＥＥＥ８０２．１ａｂ）を使用することからなる。他の自動的方法はサーバＤＨＣＰＳを使用し、欧州特許第１４１８７３３号明細書で説明されている。その方法は下記からなる。すなわち、
ネットワークにわたり端末装置から以下を含むメッセージをブロードキャストすること
端末装置に関する情報
サーバＤＨＣＰＳに対する要求、具体的にはその端末装置用の仮想ネットワーク識別子の割当要求
サーバＤＨＣＰＳ内で、具体的にはその端末装置に関する情報から仮想ネットワーク識別子を推定し、その仮想ネットワーク識別子を端末装置に送信すること
【００３６】
この後者の方法は、仮想ネットワーク識別子を自動的に決定しそれを新しい装置に供給するのはサーバＤＨＣＰＳであるので、新しい装置をインストールするための手順を簡単にする。その識別子は、端末装置によりブロードキャストされるメッセージに含まれる端末装置に関する情報から推定される。例えば、端末装置がインターネットプロトコル型端末装置である場合、音声仮想ネットワーク識別子がその端末装置に割り当てられる。
【００３７】
１つの特定の実施形態では、メッセージは、端末装置に接続されているそのノードのポートに関する指標を供給するようにそのノードに要求する端末装置の親ノードに対する要求をさらに含み、それらの指標をメッセージに加える。動的ホスト構成サーバＤＨＣＰＳでは仮想ネットワーク識別子は、ポートに関するこれらの指標および端末装置に関するこの情報から推定される。
【００３８】
一例として考慮されたネットワークＬＡＮでは、交換機ＩＰＢＸ１に統合されたサーバＤＨＣＰＳは音声仮想ネットワーク識別子を非緊急電話通話のための各電話端末装置ＩＰＰ１、ＩＰＰ２に割り当て、そのサーバは、端末装置が起動時にその第１のメッセージ内に配置する指標を使用してその端末装置が電話端末装置かどうかを自動的に検出する。
【００３９】
利用者が端末装置ＩＰＰ１上で緊急電話番号を入力する場合、端末装置ＩＰＰ１で実行されるソフトウェア手段は緊急電話番号を認識し、その端末装置に２つの仮想ネットワーク識別子を与える。すなわち、
第１の仮想ネットワークアイデンティティＶＬＡＮ１（それは、この仮想ネットワークＶＬＡＮ１が非緊急通話用の音声仮想ネットワークの優先度より高い優先度を有するので、シグナリングメッセージおよび音声パケットを緊急通話センタに送信するために使用することになる。）
第２の仮想ネットワークアイデンティティＶＬＡＮ２（それは、この仮想ネットワークＶＬＡＮ２が非緊急通話用の音声仮想ネットワークの優先度より高い優先度を有するので、シグナリングメッセージおよび音声パケットを緊急通話センタＰＳＡＰから受信するために使用することになる。それは、この仮想ネットワークアイデンティティＶＬＡＮ２を含まないメッセージを拒否する。）
【００４０】
図２は、端末装置ＩＰＰ１が緊急通話の確立を要求する状況でのシグナリングメッセージおよび音声パケットの交換を示すローカルエリアネットワークＬＡＮのこの例の動作を示す。
【００４１】
ステップ１：端末装置ＩＰＰ１は、緊急電話番号が端末装置の利用者によって入力されたことを検出する。端末装置ＩＰＰ１は下記を含むシグナリングメッセージを送信する。
端末装置のメディアアクセス制御（ＭＡＣ）レベルのアドレス
転送に関してそのシグナリングメッセージに最優先度を与える仮想ネットワークＶＬＡＮ１の識別子
メッセージが仮想ネットワークＶＬＡＮ１に接続されているすべてのユニット宛であることを示すブロードキャストモードＭＡＣアドレス（したがって、端末装置ＩＰＰ１は、緊急通話サーバＥＭＳＲのイーサネット（登録商標）アドレスまたは警報装置ＡＤのイーサネット（登録商標）アドレスを知る必要はない。）
【００４２】
ステップ２：仮想ネットワークＶＬＡＮ１に属するすべてのユニット、具体的には警報装置ＡＤと同様に、緊急通話サーバＥＭＳＲはシグナリングメッセージを受信する。シグナリングメッセージが含む仮想ネットワークＶＬＡＮ１のアイデンティティはこれが緊急通話であることを示す。次いで緊急通話サーバＥＭＳＲは、端末装置ＩＰＰ１の位置に応じて、電話されなければならない緊急通話センタＰＳＡＰのアイデンティティを決定する。次いで、サーバＥＭＳＲは緊急通話センタＰＳＡＰにアクセスを行うゲートウェイＧＷ３に新しいシグナリングメッセージを送信する。そのメッセージは下記を含む。
そのメッセージが転送に関して最優先度を有することを保証するアイデンティティＶＬＡＮ１
端末装置ＩＰＰ１のＭＡＣアドレス
端末装置ＩＰＰ１と緊急通話センタＰＳＡＰとの間での通話確立のための要求
【００４３】
ステップ３：ゲートウェイＧＷ３は端末装置ＩＰＰ１と通話センタＰＳＡＰとの間のセッションを確立する。
【００４４】
ステップ４：通話センタＰＳＡＰはゲートウェイＧＷ３に受領確認を送信する。
【００４５】
ステップ５：ゲートウェイＧＷ３は仮想ネットワークＶＬＡＮ２を介して端末装置ＩＰＰ１に受領確認を送信し、そのＭＡＣアドレスおよび仮想ネットワークアイデンティティＶＬＡＮ２を使用して端末装置ＩＰＰ１と交信する。この受領確認は、それが仮想ネットワークＶＬＡＮ２を介して転送されているので最優先度を有する。この受領確認は端末装置ＩＰＰ１に到達し、その端末装置だけが、その受領確認がその端末装置のＭＡＣアドレスを含んでいるので、ユニキャストモードで送信することができる。
【００４６】
ステップ６：電話通話は端末装置ＩＰＰ１と通話センタＰＳＡＰとの間で確立されている。すなわち、端末装置ＩＰＰ１は、リアルタイムプロトコル（ＲＴＰ）を使用してチャネル上での音声の転送を初期化する。音声を搬送するパケットは、仮想ネットワークＶＬＡＮ１内で端末装置ＩＰＰ１によってブロードキャストモードで送信される。複数の緊急通話の場合、ゲートウェイＧＷ３は、音声を搬送しブロードキャストモードで送信されるパケットに含まれる端末装置ＩＰＰ１のＭＡＣアドレスを使用して、それらのパケットを対応する緊急通話に割り当てる。通話センタＰＳＡＰから来る音声搬送パケットは仮想ネットワークＶＬＡＮ２内でゲートウェイＧＷ３を介してユニキャストモードで送信される。ゲートウェイＧＷ３は、ＲＴＰチャネルから公衆網（例えば、サービス総合デジタル網の場合では６４ｋｂｐｓでの同期チャネル）に対して適切なフォーマットに、および逆もまた同様に、音声パケットのコード変換を処理する。
【００４７】
ステップ８：緊急通話の最後に、シグナリングメッセージをゲートウェイＧＷ３に送信して通話を終了させるのは緊急通話センタＰＳＡＰである。このメッセージは、ゲートウェイＧＷ３内でこの通話のために使用されたリソースを開放させる。
【００４８】
ステップ９：ゲートウェイＧＷ３は、そのＭＡＣアドレスおよび仮想ネットワークアイデンティティＶＬＡＮ２を使用して端末装置ＩＰＰ１に開放メッセージを送信する。このメッセージの効果は、仮想ネットワークＶＬＡＮ１およびＶＬＡＮ２への端末装置ＩＰＰ１の割当をキャンセルすることである。端末装置ＩＰＰ１は、非緊急通話のために仮想音声ネットワークに割り当てられたままであり、したがって通常の通話を送信しまたは受信することができる。
【００４９】
異なる実施形態では緊急通話サーバＥＭＳＲは、ＰＳＡＰとの接続に加えて通知メッセージを含む元のＭＡＣアドレスによって指定された端末装置ＩＰＰ１と企業ネットワークの他の所定の端末装置、例えばＰＯＴ１との間の接続を確立する。第三者の端末装置と呼ばれるこの端末装置は、例えば企業の守衛詰所に配置された電話端末装置である。
【００５０】
電話網に存在し得る電話端末装置の種類の多様性のためにゲートウェイＧＷ１およびＧＷ２が備えられて、それらのゲートウェイは、ローカルエリアネットワークＬＡＮ内で通話を確立するためにＰＯＴ１などのアナログ端末装置およびＳＴ１などの同期端末装置が提供できない機能を果たす。例えば、ゲートウェイＧＷ１は下記のためのソフトウェア手段、すなわち、
端末装置ＰＯＴ１によって送信されるシグナリングメッセージが緊急通話の確立を要求するメッセージであることを認識し、仮想ネットワーク識別子ＶＬＡＮ１から成るラベルをメッセージに追加してローカルエリアネットワークＬＡＮ内でそのメッセージをブロードキャストモードで転送することと、
緊急通話の継続期間中、その端末装置ＰＯＴ１から来るデータのすべてのパケットに第１の仮想ネットワークＶＬＡＮ１のアイデンティティのラベルを付けることと、
緊急通話の継続期間中、第２の仮想ネットワークＶＬＡＮ２のアイデンティティを含まないメッセージだけを通過可能にして、端末装置ＰＯＴ１に対応するＭＡＣアドレスを含み仮想ネットワーク識別子ＶＬＡＮ２を含む任意のメッセージをこの端末装置ＰＯＴ１に転送することと
を含む。
【００５１】
他の種類の端末装置、データまたは音声送信機能を含まないマルチメディア端末装置が、緊急通話センタに電話をかける障害のある利用者、例えば聾唖者によって使用されてよい。これらの端末装置はデータを通信するようになされた用途を含み、音声端末装置ＩＰＰ１と同様にこれらのデータ端末装置は、利用者が緊急通話センタに電話をかけているか否かをそれらのデータ端末装置が決定でき、音声パケット以外のデータを搬送するためにこれらの端末装置を第１の仮想ネットワークＶＬＡＮ１および第２の仮想ネットワークＶＬＡＮ２に割り当てるための手段を含む。
【図面の簡単な説明】
【００５２】
【図１】本発明のコンピュータローカルエリアネットワークの一実施形態を示す図である。
【図２】シグナリングメッセージおよび音声パケットの交換を示す本発明の実施形態の動作を示す図である。
【図１】
2008529377.tif 000003
【図２】
2008529377.tif 000004
【国際調査報告】
2008529377.tif 000005
2008529377.tif 000006
2008529377.tif 000007
2008529377.tif 000008